(57)【特許請求の範囲】
【請求項１】
１箱に収容可能な遊技媒体の数を設定する収容可能数設定手段と、
遊技台において遊技客が所有する遊技媒体の数を随時演算する持ち数演算手段と、
前記収容可能数設定手段により設定された収容可能数と前記持ち数演算手段により算出された持ち数とに基づいて遊技媒体を収容する箱の要否を判定する箱要否判定手段と、
この箱要否判定手段が箱を必要と判定したときにその旨を報知する報知手段と、を備えたことを特徴とする遊技場用管理システム。
【請求項２】
１箱に収容可能な遊技媒体の数を設定する収容可能数設定手段と、
遊技台において遊技客が所有する遊技媒体の数を随時演算する持ち数演算手段と、
遊技台に特賞が発生したことを検出する特賞検出手段と、
前記遊技台の特賞発生時に遊技台から放出される遊技媒体の数を予め設定する特賞時放出数設定手段と、
前記特賞検出手段が特賞を検出することに応じて、前記持ち数演算手段により算出された持ち数と、前記特賞時放出数設定手段により設定された放出数と、前記収容可能数設定手段により設定された収容可能数とに基づいて必要な箱数を演算する箱数演算手段と、
この箱数演算手段が算出した箱数を報知する報知手段と、を備えたことを特徴とする遊技場用管理システム。
【発明の詳細な説明】
【０００１】
【発明の属する技術分野】
本発明は、遊技媒体を収容するための箱を必要とする場合の遊技場用管理システムに関する。
【０００２】
【発明が解決しようとする課題】
従来、パチンコホールにおいては、ある遊技台（パチンコ台）において大当たり（特賞）が発生した場合、ホールの管理装置においてこれを検出し、その旨の案内放送をホール内に流すことが行われており、このような場合、従業員は、その放送を聞いて、その大当たりが発生した遊技台へ、遊技媒体であるパチンコ玉を収容する玉箱を持って行くことができる。しかしながら、例えば大当たりの途中で玉箱が一杯になってしまうことがあり、このような場合には、遊技客が遊技台の上部にある呼出スイッチを使用して従業員を呼び出し、玉箱を持ってきてもらうか、従業員が各遊技台の状況を監視していなければならないという問題があった。
【０００３】
本発明は上記した事情に鑑みてなされたものであり、その目的は、遊技台の状況に応じて、遊技媒体を収容するための箱が必要な時もしくは必要な箱数を従業員に知らせることができ、これにより遊技客へのサービスの向上と、従業員の省力化を図ることが可能な遊技場用管理システムを提供するにある。
【０００４】
【課題を解決するための手段】
請求項１の発明は、
１箱に収容可能な遊技媒体の数を設定する収容可能数設定手段と、
遊技客が所有する遊技媒体の数を随時演算する持ち数演算手段と、
前記収容可能数設定手段により設定された収容可能数と前記持ち数演算手段により算出された持ち数とに基づいて遊技媒体を収容する箱の要否を判定する箱要否判定手段と、
この箱要否判定手段が箱を必要と判定したときにその旨を報知する報知手段と、を備えたことを特徴とする。
【０００５】
上記構成においては、遊技台において遊技客が所有する遊技媒体の数を持ち数演算手段により監視していて、収容可能数設定手段により設定された１箱に収容可能な収容可能数と、前記持ち数演算手段により算出された遊技客の持ち数とに基づいて遊技媒体を収容する箱の要否を判定する。そして、その箱が必要となった時にその旨を報知手段により報知する。従業員は、その報知に基づき箱を遊技客の所へ持って行く。
【０００６】
これにより、遊技客が呼出スイッチなどで従業員を呼び出して箱を持ってきてもらったり、従業員が遊技台の状況を監視しているといった必要がなくなり、遊技客へのサービスの向上と、従業員の省力化を図ることが可能となる。
【０００７】
請求項２の発明は、
１箱に収容可能な遊技媒体の数を設定する収容可能数設定手段と、
遊技客が所有する遊技媒体の数を随時演算する持ち数演算手段と、
遊技台に特賞が発生したことを検出する特賞検出手段と、
前記遊技台の特賞発生時に遊技台から放出される遊技媒体の数を予め設定する特賞時放出数設定手段と、
前記特賞検出手段が特賞を検出することに応じて、前記持ち数演算手段により算出された持ち数と、前記特賞時放出数設定手段により設定された放出数と、前記収容可能数設定手段により設定された収容可能数とに基づいて必要な箱数を演算する箱数演算手段と、
この箱数演算手段が算出した箱数を報知する報知手段と、を備えたことを特徴とする。
【０００８】
上記構成においては、遊技台において遊技客が所有する遊技媒体の数を持ち数演算手段により監視している。そして、その遊技台に特賞が発生すると、持ち数演算手段により算出された持ち数と、特賞時に遊技台から放出される放出数と、収容可能数設定手段により設定された１箱に収容可能な収容可能数とに基づいて必要な箱数を演算し、その必要とされる箱数を報知手段により報知する。従業員は、その報知に基づき、必要な箱数を遊技客の所へ持って行く。
【０００９】
これにより、遊技客が呼出スイッチなどで従業員を呼び出して箱を持ってきてもらったり、従業員が遊技台の状況を監視しているといった必要がなくなり、遊技客へのサービスの向上と、従業員の省力化を図ることが可能となる。
【００１０】
【発明の実施の形態】
以下、本発明の一実施例について図面を参照して説明する。
まず、全体の概略構成を示す図２において、パチンコ台からなる遊技台１は、同一機種のものが複数台列状に配置されている。これら各遊技台１の上部には、台端末装置２が１対１で対応するように設けられており、また、各遊技台１の左横には、遊技媒体であるパチンコ玉を貸し出すための玉貸機３が１対１で対応するように設けられている。上記台端末装置２には、従業員を呼び出す際に使用する呼出スイッッチ４、呼出ランプを含むランプ部５、データなどを表示する表示部６などが設けられている。
【００１１】
図３には、台端末装置２の電気的構成が周辺構成と共に機能ブロックの組み合わせにより示されている。この図３において、マイクロコンピュータを含んで構成された制御部７は、対応する遊技台１及び玉貸機３から出力される信号を入力部８を通じて受信すると共に、パチンコホール内に設置された管理装置９との間での送受信を送受信部１０を通じて行い、また、従業員が携帯するリモコン１１からの信号をリモコン用受信部１２を通じて受信する構成となっており、その受信データ及び予め記憶したプログラムに基づいてランプ部５、表示部６を制御すると共に、呼出スイッッチ４の操作信号に基づいてランプ部５を制御する構成となっている。
【００１２】
この場合、遊技台１から台端末装置２へ出力される信号としては、遊技中のアウト信号及びセーフ信号の他、図４に示すように、特賞発生時の特賞信号（特賞中にレベル信号を出力）、及び確変信号（確率変動特賞中及び確変中にレベル信号を出力）がある。また、玉貸機３が使用され、玉貸機３から遊技台１へ玉が貸し出されると、その玉数に応じた売上信号が台端末装置２へ出力される。
【００１３】
一方、上記管理装置９は、上記した各台端末装置２との間で送受信を行い、その受信データに基づいて各遊技台１の稼働状況を管理すると共に、後述するように遊技台１の出玉状況に応じて、ホール内の従業員が携帯している携帯型受信端末１３へ、玉箱に関する指令信号を出力するようになっている。この場合、携帯型受信端末１３が報知手段を構成する。
【００１４】
ここで、管理装置９には、図５に示すように、ホール内で使用している玉箱の１箱に収容可能なパチンコ玉数（玉箱収容可能玉数）（この場合、「２４００」）と、遊技台の機種毎の通常特賞時の出玉数と、確変特賞時の出玉数とを予め設定しておく。
【００１５】
この場合、この管理装置９は、１箱の玉箱に収容可能なパチンコ玉数を設定する収容可能数設定手段と、遊技台１における遊技客の所有する玉数を随時演算する持ち数演算手段と、遊技台１に特賞が発生したことを検出する特賞検出手段と、特賞発生時に遊技台１から放出される出玉数を設定する特賞放出数設定手段と、前記持ち数演算手段により算出された客の持ち玉数と、特賞放出数設定手段において設定された出玉数（放出数）と、前記収容可能数設定手段により設定された１箱の収容可能数とに基づいて玉箱の要否を判定する箱要否判定手段と、玉箱が必要な場合の玉箱の数を演算する箱数演算手段との機能を備えている。
【００１６】
次に上記構成の作用について説明する。
図１は、管理装置９の動作のうち、必要な玉箱数を報知する際のフローチャートを示している。この図１において、特賞信号が入力されていない通常の遊技中においては（Ｓ１で「ＮＯ」）、売上信号の有無（Ｓ２）、アウト信号の有無  （Ｓ４）、客の持ち玉の有無（Ｓ５）、セーフ信号の有無（Ｓ７）を順次判断する。玉貸機３が使用されることに伴い売上信号が入力されると（Ｓ２で「ＹＥＳ」）、売上玉数を客の持ち玉数に加算する（Ｓ３）。アウト信号が入力した場合には（Ｓ４で「ＹＥＳ」）、客の持ち玉の有無を判断した後、アウト玉数を客の持ち玉数から減算していく（Ｓ６）。また、セーフ信号が入力した場合には（Ｓ７で「ＹＥＳ」）、セーフ玉数を客の持ち玉数に加算する（Ｓ８）。
【００１７】
遊技台１の遊技中において特賞が発生すると、遊技台１から特賞信号が出力され、また、その特賞が確変特賞の場合には、確変信号も出力される（図４参照）。管理装置９においては、特賞信号を受信すると（Ｓ１で「ＹＥＳ」）、確変信号の有無を判断する（Ｓ９）。確変信号も受信している場合には（Ｓ９で「ＹＥＳ」）、予め機種毎に設定されている確変特賞時の出玉数（図５参照）を読み込む（Ｓ１０）。例えば、機種Ｂで確変特賞が発生した場合には、確変特賞時の出玉数は「４０００」となる。特賞信号は受信したが、確変信号は受信していない場合は（Ｓ９で「ＮＯ」）、通常特賞であると判断し、その機種の通常特賞時の出玉数（図５参照）を読み込む（Ｓ１１）。例えば、機種Ｂで通常特賞が発生した場合には、通常特賞時の出玉数は「２０００」となる。
【００１８】
そして、客の現在の持ち玉数を読み込み（Ｓ１２）、この後、玉箱の必要数を演算する（Ｓ１３）。玉箱の必要数は次の（１）式により算出する。ただし、この場合、各遊技台１には予め１箱の玉箱が置かれているとする。
玉箱の必要数
＝（特賞発生時の客の持ち玉数＋特賞時の出玉数）／２４００−１  …（１）
ただし、玉箱の必要数は、小数点以下は切り上げとする。
【００１９】
ここで、２つの具体例を以下に示す。
（例１）：機種Ｂにおいて、客の持ち玉数が「５００」で確変特賞が発生した場合の玉箱の必要数は、次のようになる。
0004369004.tif 000002
従って、この場合の玉箱の必要数は「１個」となる。
【００２０】
（例２）：機種Ｂにおいて、客の持ち玉数が「２０００」で確変特賞が発生した場合の玉箱の必要数は、次のようになる。
0004369004.tif 000003
従って、この場合の玉箱の必要数は「２個」となる。
【００２１】
上記ステップＳ１３の演算が終了したら、玉箱の必要数が「０」より大きいか否か（玉箱が必要か否か）を判断し（Ｓ１４）、玉箱が必要である場合には（Ｓ１４で「ＹＥＳ」）、携帯型受信端末１３へ玉箱の要求指令を出力する（Ｓ１５）。すると、携帯型受信端末１３からは、例えば「係員の方、＊＊＊番台、玉箱＊つ、お持ち下さい。」などと、音声で従業員に案内（報知）される。この案内を聞いた従業員は、その指示に従って必要な数の玉箱を指定された遊技台まで持って行く。
【００２２】
なお、遊技台１の客が交替した場合には、従業員が、リモコン１１によりリセット操作する。すると、そのリモコン１１から台端末装置２へリセット信号が出力され、台端末装置２から管理装置９にリセット信号が出力される。管理装置９は、リセット信号を受信すると（Ｓ１６）、該当する遊技台１における客の持ち玉数をリセット（「０」）する（Ｓ１７）。
【００２３】
要するに上記した本実施例によれば、管理装置９は、遊技台１において遊技客が所有するパチンコ玉数を監視していて、その遊技台１に特賞が発生すると、客の持ち玉数と、特賞時に遊技台１から放出される出玉数と、玉箱１箱に収容可能な収容可能数とに基づいて必要な箱数を演算し、その必要とされる箱数を、従業員が携帯している携帯型受信端末１３を介して従業員に報知する。従業員は、その報知に基づき、必要な箱数を遊技客の所へ持って行くことができる。
【００２４】
これにより、遊技客が呼出スイッチ４などで従業員を呼び出して箱を持ってきてもらったり、従業員が遊技台１の状況を監視しているといった必要がなくなり、遊技客へのサービスの向上と、従業員の省力化を図ることが可能となる。
【００２５】
本発明は、上記した実施例にのみ限定されるものではなく、次のように変形または拡張することができる。
上記した実施例においては、特賞信号を受信することに基づき、必要な箱数を演算し、その必要な箱数を報知することにより、必要な箱数を予め持って行くようにしているが、遊技台１の状況に応じて、玉箱が１箱必要となるごとに報知するようにしても良い。
従業員に報知する手段としては、携帯型受信端末に限らず、ホール内の放送装置を利用したり、台端末装置２のランプ５及び表示部６を利用したり、或いは、専用の表示部を利用することもできる。
遊技台１としては、パチンコ台に限らず、パチスロ機のような遊技台でも良い。
【００２６】
【発明の効果】
以上の説明から明らかなように、請求項１の発明によれば、遊技台の状況に応じて遊技媒体を収容する箱の要否を判定し、その箱が必要となった時にその旨が報知手段により報知されるから、従業員は、その報知に基づき箱を遊技客の所へ持って行けば良い。これにより、遊技客が呼出スイッチなどで従業員を呼び出して箱を持ってきてもらったり、従業員が遊技台の状況を監視しているといった必要がなくなり、遊技客へのサービスの向上と、従業員の省力化を図ることが可能となる。
【００２７】
請求項２の発明によれば、遊技台の状況をを監視していて、その遊技台に特賞が発生すると、遊技媒体を収容する箱の必要数を演算し、その必要とされる箱数が報知手段により報知されるから、従業員は、その報知に基づき、必要な箱数を遊技客の所へ持って行けば良い。これにより、遊技客が呼出スイッチなどで従業員を呼び出して箱を持ってきてもらったり、従業員が遊技台の状況を監視しているといった必要がなくなり、遊技客へのサービスの向上と、従業員の省力化を図ることが可能となる。
【図面の簡単な説明】
【図１】本発明の一実施例における管理装置の動作内容を示すフローチャート
【図２】全体構成を示す概略図
【図３】電気的構成を示すブロック図
【図４】特賞信号及び確変信号を示す信号波形図
【図５】玉箱１箱に収容可能な玉数（玉箱収容可能玉数）と、遊技台の機種毎の通常特賞時の出玉数と確変特賞時の出玉数の設定例を示す図
【符号の説明】
図面中、１は遊技台、２は台端末装置、３は玉貸機、４は呼出スイッチ、５はランプ部、９は管理装置（収容可能数設定手段、持ち数演算手段、箱要否判定手段、特賞検出手段、特賞時放出数設定手段、箱数演算手段）、１３は携帯型受信端末（報知手段）を示す。
【図１】
0004369004.tif 000004
【図２】
0004369004.tif 000005
【図３】
0004369004.tif 000006
【図４】
0004369004.tif 000007
【図５】
0004369004.tif 000008